(57)【要約】【課題】固定部と可動部とを構成部位として備え、加熱可動部が一部で支持されて作動し、下部固定面部に対し解離と圧接とが可能な熱転写用プレス機であって、作業者が転写準備段階作業時に危険の少ない、転写される画像の位置合わせが容易な熱転写用プレス機を提供する。【解決手段】下部固定面部と上部可動面部とを構成部位として備え、上部加熱可動部が一部で支持されて作動し、下部固定面部に対し解離と圧接とが可能な熱転写用プレス機であって、当該熱転写プレス機に光源と投影板とを付設装備し、光源からの光が投影板を透過もしくは反射し、投影板に描かれた線部や点部が下部固定面部面上に一定位置決め用陰影として形成し得る機能を備えた熱転写用プレス機。【特許請求の範囲】
【請求項１】
少なくとも下部固定面部と上部可動面部とを構成部位として備え、上部可動部が一部で支持されて作動し、下部固定面部に対し解離と圧接とが可能な熱転写用プレス機であって、写真や文字等の画像が形成された担体を被転写体である平坦材に重ねて、前記下部固定面部と上部可動面部の間に配置し、両部が圧接することで熱と圧が担体に加えられ、担体上の画像を平坦材に転写する熱転写用プレス機であり、当該熱転写プレス機に光源と投影板とを付設装備し、光源からの光が投影板を透過もしくは反射し、投影板に描かれた線部もしくは点部が下部固定面部面上に一定位置決め用線部もしくは点部の陰影として形成し得る機能を備えたことを特徴とする熱転写用プレス機。
【請求項２】
上部可動部の下部固定面部に対する解離と圧接とを可能とする作動が、上部可動面部と下部固定面部が面平行な状態での上下可動、上部可動面部と下部固定面部が面平行な状態での水平移動、上部可動面部と下部固定面部とが一部支点による開閉から選ばれた作動の二種以上の組み合わせである請求項１記載の熱転写用プレス機。
【発明の詳細な説明】
【０００１】
【発明が属する技術分野】
本発明は、転写紙などの担体に昇華性染料含有インク等で印刷された写真や絵や文字等の画像を圧や熱を利用して衣服や布帛などの繊維材やフイルム、不織布等の平坦材へ転写する熱転写用プレス機に関する。
【０００２】
【従来の技術】
従来、キャラクターの絵や文字または写真等をＴシャツなどの衣服に転写して、キャラクター入り等のＴシャツを製造する場合、熱転写により製造する方法がある。これは、支持台の上にＴシャツなどの衣服を広げ、前記衣服の上にキャラクターの絵や文字の印刷された基材フィルム（または転写紙等の担体）を衣服の所定位置に合わせて配置し、基材フィルムをアイロン等で加熱して衣服に前記絵や文字を転写するものである。
工場等で多量に熱転写を行う場合には、固定された支持台上に衣服、基材フィルムの順に配置した後、支持台の上方に昇降可能に設けられた大型のアイロンを手動で引き下げて基材フィルムに押し当てる、或いはスイッチで自動的に昇降するように形成されている場合は前記スイッチの切り替えによって押し当てる等の方法で行っている。
さらに、固定部と可動部とを構成部位として備え、可動部が一部で支持されて開閉する開閉方式転写装置で、前記固定部上に衣服、基材フィルムの順に配置し可動部を閉めることで、圧およびまたは熱によって、基材フイルム上の画像を衣服等の繊維材に転写する装置も広く使用されている。
【０００３】
【発明が解決しようとする課題】
本発明は、広く使用されている、転写に効率よく使用できる、固定部と可動部とを構成部位として備えた熱転写用プレス機で、例えば、前記固定部上に衣服、転写紙等担体の順に配置し可動部を固定部に圧接せしめることで、熱および圧によって、担体上の画像を衣服等の繊維材に転写する装置においては、衣服等の繊維材の所定位置に転写紙等の担体上の画像を位置合わせして積載し、以後熱圧を加える際の、転写における位置合わせを安全に簡単で精確に行える装置が求められていた。
【０００４】
【課題を解決するための手段】
本発明は、固定部と可動部とを構成部位として備え、可動部が一部で支持されてなる熱転写用プレス機であって、写真や文字等の画像が形成された担体を被転写体である繊維製品や布帛等の平坦材に重ねて、前記固定部と可動部の間に配置し、圧およびまたは熱によって、担体上の画像を平坦材に転写する装置における画像を位置合わせの簡単さ、正確さが用意に得られ、かつ位置合わせ等の際に作業者に火傷等の危険を少なくすることができる熱転写用プレス機を提供するものである。
すなわち本発明は、少なくとも下部固定面部と上部可動面部とを構成部位として備え、上部可動部が一部で支持されて作動し、下部固定面部に対し解離と圧接とが可能な熱転写用プレス機であって、写真や文字等の画像が形成された担体を被転写体である平坦材に重ねて、前記下部固定面部と上部可動面部の間に配置し、両部が圧接することで熱と圧が担体に加えられ、担体上の画像を平坦材に転写する熱転写用プレス機であり、当該熱転写プレス機に光源と投影板とを付設装備し、光源からの光が投影板を透過もしくは反射し、投影板に描かれた線部もしくは点部が下部固定面部面上に一定位置決め用線部もしくは点部の陰影として形成し得る機能を備えたことを特徴とする熱転写用プレス機であり、また上部可動部の下部固定面部に対する解離と圧接とを可能とする作動が、上部可動面部と下部固定面部が面平行な状態での上下可動、上部可動面部と下部固定面部が面平行な状態での水平移動、上部可動面部と下部固定面部とが一部支点による開閉から選ばれた作動の二種以上の組み合わせである請求項１記載の熱転写用プレス機である。
【０００５】
【発明の実施の形態】
以下、具体的な実施形態に基づいて説明するが、本発明はかかる実施形態によって限定されるものではない。
本発明の、熱転写用プレス機における下部固定面部とは、当該部上で転写紙等の担体を被転写体である平坦材の所定位置に重ねる作業を行う台でもあり、平坦面を有したものであり、鉄やアルミニウム等の平板にスペーサーや白布等を積載したものであり、加熱機能は備えてもよいが、作業者が作業を行う際の作業性などから、その最表面での表面温度が６０℃を越えない程度の温度となるものである必要がある。またこの加熱機能はまったく備えないものであってもよいものであり、機能として水平移動と上下移動等の移動機能を有さないものであり、この移動機能を有さないことが、転写の前段階または準備段階である転写紙等の担体と繊維材との位置合わせを実施した後は、これらの積層されたものを動かすことで折角の位置合わせをずらすことがないように、熱転写用プレス機において固定設置されたものである必要がある。
【０００６】
本発明の、熱転写用プレス機における上部可動面部とは、当該部が下部固定面部上で、転写紙等の担体と被転写体である平坦繊維材とが所定位置で重ねられ、これらの下部固定面部、繊維製品等の平坦材、転写紙の積層されたものに加熱と加圧を与え転写紙上の画像を平坦材に転写するものであり、平坦面を有したものであって、鉄やアルミニウム等の平板に必要に応じて保護体（カバー）を積層したものであり、加熱機能を備え、その最表面での表面温度が１３０℃から２２０℃程度の温度となるものである必要がある。
【０００７】
本発明における熱転写用プレス機においては、前記したように、転写紙等の担体と被転写体である平坦材とが所定位置で重ねられ、これらの下部固定面部、平坦材、転写紙の積層に上部可動面部が加熱と加圧を与え転写紙上の画像を繊維製品等平坦材に転写し得る機能を有している。
この平坦材上の所定位置に精確に画像が転写される必要がある場合には、物差し等を平坦材上に置きその物差しに従って転写紙を位置合わせして重ねる転写準備段階の作業を行うことが従来採用されてきたが、物差しそのものが位置合わせに支障をきたす等不都合な場合が多かった。
そのため本発明においては、前記した本発明の熱転写用プレス機に付設して、少なくとも光源と投影板とを装備し光源からの光が投影板を通過もしくは反射し、下部固定面部面上に一定位置決め用陰影を形成し得る機能を備えることで、かかる課題を解決した熱転写用プレス機を提供し得るものである。
【０００８】
本発明における光源は、必要なら屈曲可能な支持体に光源を配することで、作業に支障の無い位置に自由に光源を配置可能としたものでもよく、固定位置に光源を配したものでもよいものであり、必要に応じて集光や光拡散が可能なレンズ等を付設してもよいものである。
本発明における投影板は、例えば透明フイルムや透明シートに光不透過性の黒色等で適当な間隔で縦横に直線を引いたものや、透明フイルムや透明シートに光不透過性の黒色等で、被転写材である平坦材の形状に相応する線と予め画像転写位置が決められた位置に曲線およびまたは直線を描いたものが挙げられ、これらの投影板は、例えば、光源と下部固定面部の間に配設し、その投影板に描かれた直線や曲線や点が陰影として下部固定面部の面上に形成され位置合わせに供され、しかも厚さ等物理的形状を持たないため、準備段階作業における支障が全く生じない効果を本発明の熱転写用プレス機に付与するものである。
本発明における熱転写プレス機に光源と投影板とを付設装備し、光源からの光が投影板を透過もしくは反射し、投影板に描かれた非透光線部等が下部固定面部面上に一定位置決め用陰影として形成し得る機能を備えさすことで、上記位置合わせの困難さや接触危険の軽減の効果が生じる。
【０００９】
本発明の熱転写用プレス機における上部可動面部は、下部固定面部に対し、水平回転、上下昇降、開閉の作動機能を備えたものであり、この開閉等作動機能によって、転写紙等の担体と被転写体である平坦材とが所定位置で重ねられた、この下部固定面部、平坦材、転写紙の積層に上部可動面部が加熱と加圧を与え転写紙上の画像を平坦材に転写し得るものである。
開閉角度は０度から２０度の開閉であることが好ましく、従来の５０度程度の開状態単独の作動では、作業者がこの開状態の加熱されている上部可動面部に接触する可能性が高くなる。２０度の開状態であれば、その可能性は極めて低くなるが、その開きが２０度と小さくて位置合わせ等の作業が極めて困難になるが、水平摺動、水平回転等の水平移動や上下昇降等の上下作動との組み合わせによってその困難さは解消されるものである。
【００１０】
本発明の熱転写用プレス機における上部可動面部は、上下移動機能、水平移動機能、開閉機能をそれぞれ単独で備えたものでもよいが、これらの二種以上の移動（作動）機能を組み合わせた移動機能をもつものが好ましい。
この上下移動機能は、例えば、開閉移動によって上部可動面部が下部固定面部上の相対する位置になったときに、上部可動面部が下方に垂直移動して下部固定面部に圧接されるようにすることや、水平移動によって上部可動面部が下部固定面部上の所定位置になったときに、上部可動面部が下方に垂直移動して下部固定面部に圧接されるようにすることが挙げられる。
【００１１】
水平移動機能は、上部可動面部が下部固定面部の面の垂直方向（上方向）からその大部分もしくは全てが除外された状態になるように例えば回転等で移動することであり、例えば、下部固定面部の一辺（作業者の作業側から最も離れた一辺）側に設けられた支点によって支えられて、水平位置で回転することや、下部固定面部の一辺（作業者の作業側から最も離れた一辺）側に設けられた支持体に支えられて水平摺動すること等が挙げられる。
かかる水平移動することで、上部可動面部の１５０℃から２２０℃程度の温度になっている加熱された面が下方をむいたままで、常に作業者の作業範囲から離れ、作業者がこの加熱された面と接触する機会が激減し安全面での効果が大きいものとなる。
開閉機能は、下部固定面部の一辺（作業者の作業側から最も離れた一辺）側に設けられた支点によって支えられて開閉し、上部可動面部が閉まった状態にすることで下部固定面部に圧接される動作等である。
【００１２】
本発明の熱転写用プレス機においては、下部固定面部に必要に応じて、スペーサーを積層・設置し、下部固定面部と上部可動面部との相対する面における圧接時の圧力並びに温度の均一化を一層向上させることができる、このスペーサーは、例えば、最大厚さが１０ｍｍ以下好ましくは５ｍｍ以下の板状体であり、厚さが一辺部において最小で当該一辺に対向する一辺で最大であるように変化している板状体であり、熱転写用プレス機における上下両面の相対面の不均一を補うものであれば特に限定されるものではない。
【００１３】
具体的に説明すれば、本発明の熱転写用プレス機のプレス面である下部固定面部または上部可動面部の小さい方の面積、形状にほぼ等しいものである薄い板状のものであり、例えばその厚さが一方（開閉される支持部のある辺と対向する辺が相対する方向における）から他方に向けて徐々に変化しているものである。例えば▲１▼４０ｃｍかける３０ｃｍの長方形であり、長辺の一辺の厚さが０．５ｍｍで長辺の一方から他方に向かい徐々に厚さが変化して、他長辺の一辺における厚さが３ｍｍであり、短辺方向での厚さの変化がない板材、▲２▼上記例と短辺方向に左右同形で中央部が最大厚さを有するような円弧状である以外同じ数値である板材が挙げられる。本発明のスペーサーを構成する材料は、転写時の温度が最高で２２０℃、時間が１００秒程度であることからして、少なくとも２２０℃に耐え得る材質のものが好ましく、かかる性質をもったものであれば特に限定はされないが、耐熱性フッ素系樹脂、シリコーン系樹脂、銅板、アルミニウム板、鉛板、天然ゴム板、耐熱性合成ゴム板材、木板等が適宜選択使用できる。
【００１４】
【実施例】
＊実施例１
アルミニウム製下部固定面部を長辺約５０ｃｍ短辺約４０ｃｍとし、アルミニウム製上部可動面部の形状も固定部に同じくし、長辺部の一辺に移動機能支持部を設置し、上部可動面部が最大２０度に開けるようにした開閉機能を設け、さらにこの移動機能支持部に最大１２０度の範囲で上部可動面部が回転水平移動ができる機能を設け、上部可動面部にはその内部に、加熱機能であるヒーターと測温機能とヒーター制御機能を埋め込んで、最高２３０℃にその最表面温度が上昇維持し得るようにし、熱転写用プレス機を作成した。
この下部固定面部に木綿布帛をカバーとして配設し、上部可動面部面には耐熱性カーボン入り耐熱性フッ素樹脂フイルムをカバーとして配設し、かつ光源、レンズ、投影板を熱転写用プレス機の移動機能支持部に併設して設けた別の支持体に装備した。
一方、Ｃ、Ｍ、Ｙ（青、赤。黄）およびＫ（黒）の４色の昇華性染料インクを使用し、インクジェットプリンターで、原画像である動物（仔犬）写真をコンピューターに取り込み色調整して、Ａ−４の大きさで転写紙に印刷した。この転写紙印刷面を、既にろうけつ染で画像用枠と文字が印捺されているポリエステル繊維製布帛に、光源からの光によって、下部固定面部面上およびポリエステル繊維製布帛上に形成された投影板に描かれたものからの陰影の転写紙画像位置合わせ部に重ね、上記熱転写用プレス機の下部固定面部（木綿布帛）上にポリエステル繊維製布帛、転写紙の順で載置した、この転写準備段階である載置時には、上部可動面部は閉状態から開けられて、下部固定面部に対し２０度の角度で開状態にされかつ水平回転で１１０度回転して下部固定面部上から外れた位置にある。
【００１５】
上部可動面部の温度を１９５℃に設定し、当該温度が設定温度に上昇維持されているのを確認し、上部可動面部を回転させ０度の位置に戻し、開閉の閉の作動を行わせ、上部可動面部と下部固定面部とを圧接して、６０秒間プレスし、印刷された転写紙上の画像をポリエステル繊維製布帛に昇華転写し、６０秒後に上部可動面部を開けて、元の位置に回転させ戻し、転写捺染ポリエステル繊維製布帛を得た。
得られた転写捺染ポリエステル繊維製布帛における画像は鮮明であり、かつ画像の転写位置が精確に画像枠に合致しており、さらに作業者の作業性は極めてよく、上部可動面部に接触する危険が殆どないものであった。
【００１６】
【発明の効果】
本発明の熱転写用プレス機は、例えばインクジェットで昇華性染料インクで写真や絵や文字等の画像を印刷した転写紙を布帛等に、圧や熱を利用して転写する場合に、これらの転写紙を布帛等の平坦繊維材に画像位置を合わして重ね、下部固定面部上に載置する作業における作業上の危険が無く、かつ平坦繊維材に画像位置を精確に合わして転写することが簡明に実施できるものであり、熱転写捺染生産上に極めて有用である。